(57)【要約】【課題】建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制する。【解決手段】建物に設置されたセンサであって無線基地局装置と通信可能なセンサの計測結果に基づいて前記建物の状態を評価可能な通信システム、における管理装置であって、前記通信システムにおける通信環境に関する通信環境情報を取得する通信情報取得部と、前記センサの通信相手、および無線基地局装置と通信可能な無線端末装置の通信相手が同じ無線基地局装置である状態において、前記通信情報取得部によって取得された前記通信環境情報に基づいて、前記無線端末装置の通信動作を変更する処理を行なう通信制御部とを備える。【選択図】図１
2015104008.tif 000002
【特許請求の範囲】
【請求項１】
建物に設置されたセンサであって無線基地局装置と通信可能なセンサの計測結果に基づいて前記建物の状態を評価可能な通信システム、における管理装置であって、
前記通信システムにおける通信環境に関する通信環境情報を取得する通信情報取得部と、
前記センサの通信相手、および無線基地局装置と通信可能な無線端末装置の通信相手が同じ無線基地局装置である状態において、前記通信情報取得部によって取得された前記通信環境情報に基づいて、前記無線端末装置の通信動作を変更する処理を行なう通信制御部とを備える、管理装置。
【請求項２】
前記無線端末装置は、複数の前記無線基地局装置のうちのいずれかを選択して通信可能であり、
前記通信制御部は、前記通信動作を変更する処理として、前記無線端末装置の通信相手となる前記無線基地局装置を変更する処理を行なう、請求項１に記載の管理装置。
【請求項３】
前記通信制御部は、前記通信動作を変更する処理として、前記無線端末装置の通信パラメータを変更する処理を行なう、請求項１または請求項２に記載の管理装置。
【請求項４】
前記通信情報取得部は、前記無線端末装置における通信環境に関する通信環境情報を取得する、請求項１から請求項３のいずれか１項に記載の管理装置。
【請求項５】
前記管理装置は、さらに、
前記センサの計測結果を取得するセンサ情報取得部と、
前記センサ情報取得部によって取得された前記計測結果に基づいて、前記建物の状態を評価する建物評価部とを備える、請求項１から請求項４のいずれか１項に記載の管理装置。
【請求項６】
１または複数の無線基地局装置と、
前記無線基地局装置と通信可能な管理装置とを備える通信システムであって、
前記通信システムは、建物に設置されたセンサであって前記無線基地局装置と通信可能なセンサの計測結果に基づいて、前記建物の状態を評価可能であり、
前記無線基地局装置は、前記通信システムにおける通信環境に関する通信環境情報を前記管理装置へ送信し、
前記管理装置は、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信する、通信システム。
【請求項７】
請求項１または請求項６に記載の通信システムにおける無線端末装置。
【請求項８】
建物に設置されたセンサであって無線基地局装置と通信可能なセンサの計測結果に基づいて前記建物の状態を評価可能な通信システム、における管理装置の通信制御方法であって、
前記通信システムにおける通信環境に関する通信環境情報を取得するステップと、
前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを含む、通信制御方法。
【請求項９】
１または複数の無線基地局装置と、前記無線基地局装置と通信可能な管理装置とを備える通信システムにおける通信制御方法であって、
前記通信システムは、建物に設置されたセンサであって前記無線基地局装置と通信可能なセンサの計測結果に基づいて、前記建物の状態を評価可能であり、
前記無線基地局装置が、前記通信システムにおける通信環境に関する通信環境情報を前記管理装置へ送信するステップと、
前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを含む、通信制御方法。
【請求項１０】
建物に設置されたセンサであって無線基地局装置と通信可能なセンサの計測結果に基づいて前記建物の状態を評価可能な通信システム、における管理装置において用いられる通信制御プログラムであって、コンピュータに、
前記通信システムにおける通信環境に関する通信環境情報を取得するステップと、
前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを実行させるための、通信制御プログラム。
【請求項１１】
１または複数の無線基地局装置と、前記無線基地局装置と通信可能な管理装置とを備える通信システムにおいて用いられる通信制御プログラムであって、
前記通信システムは、建物に設置されたセンサであって前記無線基地局装置と通信可能なセンサの計測結果に基づいて、前記建物の状態を評価可能であり、
コンピュータに、
前記無線基地局装置が、前記通信システムにおける通信環境に関する通信環境情報を前記管理装置へ送信するステップと、
前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを実行させるための、通信制御プログラム。
【発明の詳細な説明】
【技術分野】
【０００１】
本発明は、管理装置、通信システム、無線端末装置、通信制御方法および通信制御プログラムに関し、特に、センサの計測結果に基づいて建物の状態を評価可能な通信システムにおける管理装置、当該通信システム、無線端末装置、通信制御方法および通信制御プログラムに関する。
【背景技術】
【０００２】
移動通信システムでは、無線端末装置が通信可能なエリアであるセル、を形成する無線基地局装置による通信サービスが提供されている。
【０００３】
また、このような通信サービス等を利用したシステムとして、Ｍ２Ｍ（Ｍａｃｈｉｎｅ  ｔｏ  Ｍａｃｈｉｎｅ）システムが知られている。Ｍ２Ｍシステムでは、無線機を搭載した機器同士が人間を介在せずに相互に情報をやり取りすることにより、自動的に機器の制御が行われる。
【０００４】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００５】
【特許文献１】特許第４２３７１３４号公報
【発明の概要】
【発明が解決しようとする課題】
【０００６】
このようなＭ２Ｍシステムの１つの利用形態として、計測結果を無線伝送することが可能なセンサを建物に設置し、当該センサによる計測結果に基づいて建物の健全性を評価するシステムが考えられる。
【０００７】
地震等の災害が発生した場合、このようなＭ２Ｍシステムが設けられた建物が避難所として用いられ、多数の人が建物に集まる場合がある。
【０００８】
このような場合、多数の人が携帯電話等を用いて避難所のネットワークに接続し、インターネットから各種情報を取得することになり、ネットワークにおいて輻輳が発生する可能性が高まる。そして、このような輻輳が発生すると、避難所に設置されたセンサの計測結果を示すデータが欠損してしまい、余震および老朽化等による避難所の倒壊等を正確かつ迅速に予知することが困難となる場合がある。
【０００９】
この発明は、上述の課題を解決するためになされたもので、その目的は、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することが可能な管理装置、通信システム、無線端末装置、通信制御方法および通信制御プログラムを提供することである。
【課題を解決するための手段】
【００１０】
（１）上記課題を解決するために、この発明のある局面に係わる管理装置は、建物に設置されたセンサであって無線基地局装置と通信可能なセンサの計測結果に基づいて前記建物の状態を評価可能な通信システム、における管理装置であって、前記通信システムにおける通信環境に関する通信環境情報を取得する通信情報取得部と、前記センサの通信相手、および無線基地局装置と通信可能な無線端末装置の通信相手が同じ無線基地局装置である状態において、前記通信情報取得部によって取得された前記通信環境情報に基づいて、前記無線端末装置の通信動作を変更する処理を行なう通信制御部とを備える。
【００１１】
（６）上記課題を解決するために、この発明のある局面に係わる通信システムは、１または複数の無線基地局装置と、前記無線基地局装置と通信可能な管理装置とを備える通信システムであって、前記通信システムは、建物に設置されたセンサであって前記無線基地局装置と通信可能なセンサの計測結果に基づいて、前記建物の状態を評価可能であり、前記無線基地局装置は、前記通信システムにおける通信環境に関する通信環境情報を前記管理装置へ送信し、前記管理装置は、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信する。
【００１２】
（７）上記課題を解決するための、この発明のある局面に係わる無線端末装置は、上記（１）または上記（６）に記載の通信システムにおける無線端末装置である。
【００１３】
（８）上記課題を解決するために、この発明のある局面に係わる通信制御方法は、建物に設置されたセンサであって無線基地局装置と通信可能なセンサの計測結果に基づいて前記建物の状態を評価可能な通信システム、における管理装置の通信制御方法であって、前記通信システムにおける通信環境に関する通信環境情報を取得するステップと、前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを含む。
【００１４】
（９）上記課題を解決するために、この発明のある局面に係わる通信制御方法は、１または複数の無線基地局装置と、前記無線基地局装置と通信可能な管理装置とを備える通信システムにおける通信制御方法であって、前記通信システムは、建物に設置されたセンサであって前記無線基地局装置と通信可能なセンサの計測結果に基づいて、前記建物の状態を評価可能であり、前記無線基地局装置が、前記通信システムにおける通信環境に関する通信環境情報を前記管理装置へ送信するステップと、前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを含む。
【００１５】
（１０）上記課題を解決するために、この発明のある局面に係わる通信制御プログラムは、建物に設置されたセンサであって無線基地局装置と通信可能なセンサの計測結果に基づいて前記建物の状態を評価可能な通信システム、における管理装置において用いられる通信制御プログラムであって、コンピュータに、前記通信システムにおける通信環境に関する通信環境情報を取得するステップと、前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを実行させるためのプログラムである。
【００１６】
（１１）上記課題を解決するために、この発明のある局面に係わる通信制御プログラムは、１または複数の無線基地局装置と、前記無線基地局装置と通信可能な管理装置とを備える通信システムにおいて用いられる通信制御プログラムであって、前記通信システムは、建物に設置されたセンサであって前記無線基地局装置と通信可能なセンサの計測結果に基づいて、前記建物の状態を評価可能であり、コンピュータに、前記無線基地局装置が、前記通信システムにおける通信環境に関する通信環境情報を前記管理装置へ送信するステップと、前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを実行させるためのプログラムである。
【００１７】
本発明は、このような特徴的な処理部を備える管理装置として実現できるだけでなく、管理装置の一部または全部を実現する半導体集積回路として実現することができる。
【００１８】
また、本発明は、このような特徴的な処理部を備える通信システムとして実現できるだけでなく、通信システムの一部または全部を実現する半導体集積回路として実現することができる。
【発明の効果】
【００１９】
本発明によれば、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【図面の簡単な説明】
【００２０】
【図１】図１は、本発明の実施の形態に係る通信システムの構成を示す図である。
【図２】図２は、本発明の実施の形態に係る通信システムにおける建物管理サーバの構成を示す図である。
【図３】図３は、本発明の実施の形態に係る通信システムにおけるネットワーク管理サーバの構成を示す図である。
【図４】図４は、本発明の実施の形態に係る通信システムにおける建物の状態評価のシーケンスを示す図である。
【図５】図５は、本発明の実施の形態に係る通信システムにおけるセンサ情報の保護のシーケンスを示す図である。
【図６】図６は、本発明の実施の形態に係る通信システムにおける端末装置およびアクセスポイント間の通信接続処理のシーケンスを示す図である。
【発明を実施するための形態】
【００２１】
最初に、本発明の実施形態の内容を列記して説明する。
【００２２】
（１）本発明の実施の形態に係る管理装置は、建物に設置されたセンサであって無線基地局装置と通信可能なセンサの計測結果に基づいて前記建物の状態を評価可能な通信システム、における管理装置であって、前記通信システムにおける通信環境に関する通信環境情報を取得する通信情報取得部と、前記センサの通信相手、および無線基地局装置と通信可能な無線端末装置の通信相手が同じ無線基地局装置である状態において、前記通信情報取得部によって取得された前記通信環境情報に基づいて、前記無線端末装置の通信動作を変更する処理を行なう通信制御部とを備える。
【００２３】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００２４】
（２）好ましくは、前記無線端末装置は、複数の前記無線基地局装置のうちのいずれかを選択して通信可能であり、前記通信制御部は、前記通信動作を変更する処理として、前記無線端末装置の通信相手となる前記無線基地局装置を変更する処理を行なう。
【００２５】
このように、無線端末装置の通信接続先の無線基地局装置を変更する構成により、無線端末装置の通信に起因するセンサおよび無線基地局装置間の通信品質の劣化をより確実に防ぐことができる。たとえば、通信負荷が集中している無線基地局装置の配下の無線端末装置の通信接続先を他の無線基地局装置へ変更することができるため、各無線基地局装置における通信トラフィックを平準化することができ、たとえば、無線基地局装置のメモリ溢れによる情報損失を回避することができる。
【００２６】
（３）好ましくは、前記通信制御部は、前記通信動作を変更する処理として、前記無線端末装置の通信パラメータを変更する処理を行なう。
【００２７】
このような構成により、無線端末装置の各種通信パラメータを変更し、たとえば無線端末装置の干渉に起因するセンサおよび無線基地局装置間の通信品質の劣化を防ぐことができる。たとえば、無線端末装置および無線基地局装置間で無線通信に使用する周波数帯を変更することにより、センサの使用周波数帯との重複を防ぎ、センサおよび無線端末装置間の電波干渉による情報損失を回避することができる。また、たとえば、ＣＳＭＡ／ＣＡ等、信号の再送までの待ち時間が設定可能な通信方式を採用する通信システムにおいて、無線端末装置の待ち時間を長くし、センサの無線伝送を優先させることができる。
【００２８】
（４）好ましくは、前記通信情報取得部は、前記無線端末装置における通信環境に関する通信環境情報を取得する。
【００２９】
このような構成により、干渉の大きい無線端末装置を容易に特定し、当該無線端末装置の通信動作を変更することができる。また、無線基地局装置に特別な機能を付加することなく、たとえば無線端末装置に所定のソフトウェアをインストールするだけで、通信システムにおける通信環境の把握および当該通信環境の改善のための処理が可能となる。
【００３０】
（５）好ましくは、前記管理装置は、さらに、前記センサの計測結果を取得するセンサ情報取得部と、前記センサ情報取得部によって取得された前記計測結果に基づいて、前記建物の状態を評価する建物評価部とを備える。
【００３１】
このような構成により、建物の状態評価機能およびネットワークの輻輳による建物評価の障害発生を抑制するための通信制御機能の両方を実現する管理装置を提供することができる。
【００３２】
（６）本発明の実施の形態に係る通信システムは、１または複数の無線基地局装置と、前記無線基地局装置と通信可能な管理装置とを備える通信システムであって、前記通信システムは、建物に設置されたセンサであって前記無線基地局装置と通信可能なセンサの計測結果に基づいて、前記建物の状態を評価可能であり、前記無線基地局装置は、前記通信システムにおける通信環境に関する通信環境情報を前記管理装置へ送信し、前記管理装置は、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信する。
【００３３】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００３４】
（７）本発明の実施の形態に係る無線端末装置は、上記（１）または上記（６）に記載の通信システムにおける無線端末装置である。
【００３５】
これにより、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することに好適な無線端末装置を提供することができる。
【００３６】
（８）本発明の実施の形態に係る通信制御方法は、建物に設置されたセンサであって無線基地局装置と通信可能なセンサの計測結果に基づいて前記建物の状態を評価可能な通信システム、における管理装置の通信制御方法であって、前記通信システムにおける通信環境に関する通信環境情報を取得するステップと、前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを含む。
【００３７】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００３８】
（９）本発明の実施の形態に係る通信制御方法は、１または複数の無線基地局装置と、前記無線基地局装置と通信可能な管理装置とを備える通信システムにおける通信制御方法であって、前記通信システムは、建物に設置されたセンサであって前記無線基地局装置と通信可能なセンサの計測結果に基づいて、前記建物の状態を評価可能であり、前記無線基地局装置が、前記通信システムにおける通信環境に関する通信環境情報を前記管理装置へ送信するステップと、前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを含む。
【００３９】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００４０】
（１０）本発明の実施の形態に係る通信制御プログラムは、建物に設置されたセンサであって無線基地局装置と通信可能なセンサの計測結果に基づいて前記建物の状態を評価可能な通信システム、における管理装置において用いられる通信制御プログラムであって、コンピュータに、前記通信システムにおける通信環境に関する通信環境情報を取得するステップと、前記センサの通信相手、および無線基地局装置と通信可能な無線端末装置の通信相手が同じ無線基地局装置である状態において、取得した前記通信環境情報に基づいて、前記無線端末装置の通信動作を変更する処理を行なうステップとを実行させるためのプログラムである。
【００４１】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００４２】
（１１）本発明の実施の形態に係る通信制御プログラムは、１または複数の無線基地局装置と、前記無線基地局装置と通信可能な管理装置とを備える通信システムにおいて用いられる通信制御プログラムであって、前記通信システムは、建物に設置されたセンサであって前記無線基地局装置と通信可能なセンサの計測結果に基づいて、前記建物の状態を評価可能であり、コンピュータに、前記無線基地局装置が、前記通信システムにおける通信環境に関する通信環境情報を前記管理装置へ送信するステップと、前記管理装置が、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信するステップとを実行させるためのプログラムである。
【００４３】
このように、センサの通信相手および無線端末装置の通信相手が同じ無線基地局装置である状態において、通信システムにおける通信環境情報に基づいて無線端末装置の通信動作を変更する構成により、たとえば通信システムにおける通信環境が悪化した場合に、センサの計測結果を無線端末装置の通信データよりも優先して保護することができる。これにより、センサおよび無線基地局装置間の通信品質を良好に保つことができるため、センサの計測結果を安定して収集することができる。したがって、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【００４４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４５】
［構成および基本動作］
図１は、本発明の実施の形態に係る通信システムの構成を示す図である。
【００４６】
図１を参照して、通信システム３０１は、たとえば避難所に利用されている建物６０１に設置されている。通信システム３０１は、管理装置２０１と、ローカル情報管理サーバ１０３と、ゲートウェイ１０４と、記憶装置１０５と、内部ネットワーク４０１とを備える。管理装置２０１は、ネットワーク管理サーバ１０１と、建物管理サーバ１０２とを含む。内部ネットワーク４０１は、複数のアクセスポイント（無線基地局装置）１５１と、図示しないハブおよびルータ等とを含む。
【００４７】
ネットワーク管理サーバ１０１、建物管理サーバ１０２、ローカル情報管理サーバ１０３およびゲートウェイ１０４は、内部ネットワーク４０１に接続され、互いに通信可能である。
【００４８】
ゲートウェイ１０４は、内部ネットワーク４０１および外部ネットワーク４０２間の通信データを中継する。
【００４９】
アクセスポイント１５１は、ＩＥＥＥ８０２．１１で規格化された無線ＬＡＮシステムのアクセスポイントであり、内部ネットワーク４０１に接続された各装置と通信可能である。
【００５０】
無線端末装置１６２は、スマートフォンおよびタブレット等の携帯情報端末であり、ＩＥＥＥ８０２．１１規格に従い、たとえばＩＳＭバンド（Ｉｎｄｕｓｔｒｙ  Ｓｃｉｅｎｃｅ  Ｍｅｄｉｃａｌ  ｂａｎｄ）である２．４ＧＨｚ帯のアクセスポイント１５１と無線信号を送受信することにより、アクセスポイント１５１、ならびにアクセスポイント１５１経由で内部ネットワーク４０１に接続された他の装置および外部ネットワーク４０２に接続された他の装置と通信可能である。無線端末装置１６２は、複数のアクセスポイント１５１のうちのいずれかを選択して通信可能である。
【００５１】
無線端末装置１６２は、たとえばＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式を採用し、他の無線端末装置１６２が無線信号を送信しているか否かを判断し、他の無線端末装置１６２が無線信号を送信していないと判断した場合に、送信すべき情報を含む無線信号をアクセスポイント１５１へ送信する。
【００５２】
また、たとえば、無線端末装置１６２は、専用のネットワーク制御用ソフトウェアをインストールすることが可能である。ネットワーク制御用ソフトウェアがインストールされた無線端末装置１６２は、自己における通信のスループット、受信パケットのロス率、送信パケットの再送回数およびアクセスポイント１５１から送信される電波の受信電力等を示す通信環境情報を作成し、無線信号に含めてアクセスポイント１５１へ送信する。また、ネットワーク制御用ソフトウェアがインストールされた無線端末装置１６２は、ネットワーク管理サーバ１０１から指示情報を受信し、受信した指示情報に基づいて自己の通信動作を変更可能である。
【００５３】
ネットワーク管理サーバ１０１は、無線端末装置１６２等による内部ネットワーク４０１および外部ネットワーク４０２間の通信を制御する。具体的には、ネットワーク管理サーバ１０１は、プロキシ、ＤＮＳ（Ｄｏｍａｉｎ  Ｎａｍｅ  Ｓｙｓｔｅｍ）またはゲートウェイ等の機能を有し、内部ネットワーク４０１において発生する外部ネットワーク４０２へのアクセスを一元的に管理する。
【００５４】
内部ネットワーク４０１に接続された無線端末装置１６２は、外部ネットワーク４０２へアクセスするために、ネットワーク管理サーバ１０１にＩＰアドレス等を問い合わせるか、またはＩＰパケット等の送信先としてネットワーク管理サーバ１０１を指定する。
【００５５】
これにより、ネットワーク管理サーバ１０１は、内部ネットワーク４０１において発生する通信量を制御することが可能になる。具体的には、ネットワーク管理サーバ１０１は、無線端末装置１６２から要求される外部ネットワーク４０２へのアクセスに対して、当該アクセスを許可するか、あるいは、当該アクセスを許可せず、たとえば記憶装置１０５へのアクセスにとどめるかを決定する。
【００５６】
ローカル情報管理サーバ１０３は、外部ネットワーク４０２に接続された記憶装置５０１等における外部データを、外部ネットワーク４０２、またはＵＳＢ（Ｕｎｉｖｅｒｓａｌ  Ｓｅｒｉａｌ  Ｂｕｓ）メモリ等の何らかの記憶媒体を経由して取得し、記憶装置１０５に保存する。すなわち、記憶装置１０５の保存情報の更新方法には、外部ネットワーク４０２経由でデータを取得する方法と、ＵＳＢメモリ等に格納されて人手により運ばれてきたデータを手動で保存する方法とがある。
【００５７】
記憶装置１０５は、建物６０１内において作成される情報、および建物６０１外において作成される情報を保存する。
【００５８】
避難所である建物６０１内において作成される情報には、たとえば、設備の位置および使用ルール等、避難所内で共有したい情報と、避難者からの要望リストと、安否確認用の情報となる避難者の名称および住所等とがある。
【００５９】
また、避難所である建物６０１外において作成される情報には、たとえば、Ｗｅｂサイトおよび新聞に掲載されたニュースと、他の避難所における安否確認用の情報とがある。
【００６０】
通信システム３０１は、センサ１６１の計測結果に基づいて建物６０１の状態を評価可能である。
【００６１】
より詳細には、センサ１６１は、建物６０１に設置され、アクセスポイント１５１と通信可能である。センサ１６１は、建物６０１の加速度、変位、歪みおよび温度等を計測し、計測結果を含む無線信号を定期的または不定期にアクセスポイント１５１へ送信する。
【００６２】
アクセスポイント１５１は、センサ１６１から受信した無線信号に含まれる計測結果を建物管理サーバ１０２へ送信する。
【００６３】
建物管理サーバ１０２は、アクセスポイント１５１から受信したセンサ１６１の計測結果に基づいて、建物６０１の状態を評価する。具体的には、建物管理サーバ１０２は、たとえば、建物６０１の健全性を判断し、建物６０１に異常がある場合、アラームを出力する。建物管理サーバ１０２は、たとえば、当該アラームを外部ネットワーク４０２経由で建物６０１の管理者へ送信するか、建物６０１内で音声等により報知するか、または評価内容をローカル情報管理サーバ１０３経由で記憶装置１０５に保存する。
【００６４】
なお、ネットワーク管理サーバ１０１、建物管理サーバ１０２、ローカル情報管理サーバ１０３およびゲートウェイ１０４は、物理的に別個に設けられる構成に限らず、いずれか２つもしくは３つ、または全部が物理的に１つの装置として設けられる構成であってもよい。また、ローカル情報管理サーバ１０３は、記憶装置１０５を含む構成であってもよい。
【００６５】
また、ローカル情報管理サーバ１０３および記憶装置１０５は、建物６０１において常時設置されていなくてもよく、災害発生後、建物６０１が避難所として用いられる場合に設置されてもよい。
【００６６】
また、アクセスポイント１５１および無線端末装置１６２は、ＩＥＥＥ８０２．１１に限らず、ＺｉｇＢｅｅ（登録商標）およびＢｌｕｅｔｏｏｔｈ（登録商標）等、他の通信規格に従って無線通信が可能な装置であってもよい。
【００６７】
また、通信システム３０１において、ネットワーク制御用ソフトウェアがインストールされている無線端末装置１６２とインストールされていない無線端末装置１６２とが混在していてもよい。
【００６８】
また、センサ１６１は、通信相手となるアクセスポイント１５１が固定される構成に限らず、無線端末装置１６２のように、複数のアクセスポイント１５１のうちのいずれかを選択して通信する機能を有していてもよい。
【００６９】
図２は、本発明の実施の形態に係る通信システムにおける建物管理サーバの構成を示す図である。
【００７０】
図２を参照して、建物管理サーバ１０２は、センサ情報取得部１１と、建物評価部１２とを含む。
【００７１】
センサ情報取得部１１は、センサ１６１の計測結果をアクセスポイント１５１から受信して取得する。
【００７２】
建物評価部１２は、センサ情報取得部１１によって取得された計測結果に基づいて、建物６０１の状態を評価する。具体的には、たとえば、建物評価部１２は、建物６０１の振動の大小および振動の振幅特性等に基づいて建物６０１の健全性を判断する。
【００７３】
図３は、本発明の実施の形態に係る通信システムにおけるネットワーク管理サーバの構成を示す図である。
【００７４】
図３を参照して、ネットワーク管理サーバ１０１は、通信情報取得部２１と、通信制御部２２とを含む。
【００７５】
通信情報取得部２１は、通信システム３０１における通信環境に関する通信環境情報をアクセスポイント１５１から受信して取得する。たとえば、通信情報取得部２１は、無線端末装置１６２における通信環境に関する通信環境情報を取得する。
【００７６】
通信制御部２２は、センサ１６１の通信相手および無線端末装置１６２の通信相手が同じアクセスポイント１５１である状態において、通信情報取得部２１によって取得された通信環境情報に基づいて、当該無線端末装置１６２の通信動作を変更する処理を行なう。
【００７７】
たとえば、通信制御部２２は、無線端末装置１６２の通信動作を変更する処理として、無線端末装置１６２の通信相手となるアクセスポイント１５１を変更する処理を行なう。
【００７８】
［動作］
次に、本発明の実施の形態に係る通信システムにおける通信制御について図面を用いて説明する。
【００７９】
通信システム３０１における各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００８０】
図４は、本発明の実施の形態に係る通信システムにおける建物の状態評価のシーケンスを示す図である。
【００８１】
図４を参照して、まず、センサ１６１は、建物６０１の加速度等を計測し、計測結果を示すセンサ情報を無線信号に含めてアクセスポイント１５１へ送信する（ステップＳ１）。
【００８２】
次に、アクセスポイント１５１は、センサ１６１から受信した無線信号に含まれるセンサ情報を建物管理サーバ１０２へ送信する（ステップＳ２）。
【００８３】
次に、建物管理サーバ１０２は、アクセスポイント１５１から受信したセンサ情報に基づいて、建物６０１の状態を評価する建物評価処理を行なう（ステップＳ３）。
【００８４】
すなわち、建物管理サーバ１０２は、建物６０１が健全でなく、異常であると判断した場合には（ステップＳ３でＮＯ）、アラームを建物６０１の管理者およびローカル情報管理サーバ１０３へ送信する（ステップＳ４）。
【００８５】
一方、建物管理サーバ１０２は、建物６０１が健全であると判断した場合には（ステップＳ３でＹＥＳ）、新たなセンサ情報を受信するまで待機する。
【００８６】
センサ１６１は、センサ情報を定期的または不定期にアクセスポイント１５１へ送信し（ステップＳ５）、建物管理サーバ１０２は、アクセスポイント１５１経由でセンサ情報を受信するたびに（ステップＳ６）、当該センサ情報に基づいて建物評価処理を行なう。
【００８７】
なお、図４に示す動作は、災害発生前の平時および災害発生後の両方において実行することが可能である。
【００８８】
また、建物管理サーバ１０２は、１つのセンサ情報を受信するたびに建物評価処理を行なう構成に限らず、１または複数のセンサ１６１から受信した複数のセンサ情報に基づいて、建物６０１の健全性を総合的に評価する構成であってもよい。
【００８９】
図５は、本発明の実施の形態に係る通信システムにおけるセンサ情報の保護のシーケンスを示す図である。
【００９０】
ここでは、建物６０１に、２つのアクセスポイント１５１であるアクセスポイントＡＰ１およびＡＰ２が設置されており、また、センサ１６１の通信接続先としてアクセスポイントＡＰ１が設定されているものとする。また、無線端末装置１６２には、前述のネットワーク制御用ソフトウェアがインストールされているものとする。
【００９１】
図５を参照して、平時において、まず、センサ１６１が建物６０１に設置されると、センサ１６１は、たとえばアクセスポイントＡＰ１と各種情報を互いに送受信することにより、自己およびアクセスポイントＡＰ１間の通信接続を確立する（ステップＳ１１）。
【００９２】
次に、センサ１６１は、建物６０１の加速度等を計測し、計測結果を示すセンサ情報を無線信号に含めてアクセスポイントＡＰ１へ送信する（ステップＳ１２）。
【００９３】
次に、アクセスポイントＡＰ１は、センサ１６１から受信した無線信号に含まれるセンサ情報を建物管理サーバ１０２へ送信する（ステップＳ１３）。
【００９４】
次に、建物管理サーバ１０２は、センサ１６１からアクセスポイントＡＰ１経由で受信したセンサ情報に基づいて、図４に示す建物評価処理を行なう（ステップＳ１４）。
【００９５】
次に、地震等の災害が発生し、建物６０１の避難所としての利用が開始されると、避難者の所有する無線端末装置１６２は、たとえばアクセスポイントＡＰ１と各種情報を互いに送受信することにより、自己およびアクセスポイントＡＰ１間の通信接続を確立し（ステップＳ１５）、アクセスポイントＡＰ１との間でＩＰパケットおよび通信環境情報等のデータを送受信する（ステップＳ１６）。
【００９６】
次に、建物６０１における避難者の増加に伴って無線端末装置１６２の数が増加すると、たとえば多数の無線端末装置１６２がアクセスポイントＡＰ１との間で通信接続を確立することになる。この場合、アクセスポイントＡＰ１とセンサ１６１との間では、多数の無線端末装置１６２による通信に起因して通信品質が劣化し、建物管理サーバ１０２においてセンサ１６１の計測結果を安定して収集することが困難となる可能性が高まる（ステップＳ１７）。
【００９７】
このような状況において、無線端末装置１６２は、通信環境情報をアクセスポイント１５１へ送信する（ステップＳ１８）。
【００９８】
次に、アクセスポイント１５１は、無線端末装置１６２から受信した無線信号に含まれる通信環境情報をネットワーク管理サーバ１０１へ送信する（ステップＳ１９）。
【００９９】
次に、ネットワーク管理サーバ１０１は、無線端末装置１６２からアクセスポイントＡＰ１経由で受信した通信環境情報に基づいて、通信システム３０１におけるネットワーク状況が良好であるか否かを判断する（ステップＳ２０）。
【０１００】
ネットワーク管理サーバ１０１は、通信システム３０１におけるネットワーク状況が良好であると判断した場合には（ステップＳ２０でＹＥＳ）、新たな通信環境情報を受信するまで待機する。
【０１０１】
一方、ネットワーク管理サーバ１０１は、通信システム３０１におけるネットワーク状況が良好でないと判断した場合には（ステップＳ２０でＮＯ）、たとえば無線端末装置１６２の通信接続先をアクセスポイントＡＰ１からセンサ１６１の通信相手ではないアクセスポイントＡＰ２へ変更するための指示情報をアクセスポイントＡＰ１へ送信する。具体的には、ネットワーク管理サーバ１０１は、たとえば、無線端末装置１６２における通信のスループットが低い場合、受信パケットのロス率が高い場合、送信パケットの再送回数が多い場合、または無線信号の受信強度が弱い場合、通信システム３０１におけるネットワーク状況が良好でないと判断する（ステップＳ２１）。
【０１０２】
次に、アクセスポイントＡＰ１は、ネットワーク管理サーバ１０１から受信した指示情報を無線信号に含めて無線端末装置１６２へ送信する（ステップＳ２２）。
【０１０３】
次に、無線端末装置１６２は、ネットワーク管理サーバ１０１からアクセスポイントＡＰ１経由で受信した指示情報に基づいて、アクセスポイントＡＰ１との通信接続を切断する処理を行なう（ステップＳ２３）。
【０１０４】
次に、無線端末装置１６２は、アクセスポイントＡＰ２と各種情報を互いに送受信することにより、自己およびアクセスポイントＡＰ２間の通信接続を確立し（ステップＳ２４）、アクセスポイントＡＰ２との間でＩＰパケットおよび通信環境情報等のデータを送受信する（ステップＳ２５）。
【０１０５】
これにより、アクセスポイントＡＰ１とセンサ１６１との間では、無線端末装置１６２による通信の影響が少なくなって通信品質が向上し、建物管理サーバ１０２においてセンサ１６１の計測結果を安定して収集することができる（ステップＳ２６およびＳ２７）。そして、建物管理サーバ１０２は、収集したセンサ１６１の計測結果に基づいて、建物６０１の評価処理を正確かつ迅速に行なうことが可能となる（ステップＳ２８）。
【０１０６】
なお、ネットワーク管理サーバ１０１における通信情報取得部２１は、無線端末装置１６２における通信環境に限らず、たとえばアクセスポイント１５１における通信環境に関する情報を通信環境情報として取得する構成であってもよい。
【０１０７】
また、通信情報取得部２１は、アクセスポイント１５１経由で通信環境情報を取得する構成に限らず、たとえばアクセスポイント１５１以外の装置経由または直接、通信環境情報を無線端末装置１６２から取得する構成であってもよい。
【０１０８】
また、ネットワーク管理サーバ１０１における通信制御部２２は、無線端末装置１６２の通信相手となるアクセスポイント１５１を変更する処理を行なう構成に限らず、無線端末装置１６２の何らかの通信動作を変更する構成であればよい。
【０１０９】
たとえば、通信制御部２２は、無線端末装置１６２の通信動作を変更する処理として、無線端末装置１６２の通信パラメータを変更する処理を行なう構成であってもよい。
【０１１０】
より詳細には、通信制御部２２は、たとえば、無線端末装置１６２がアクセスポイント１５１と無線通信を行なう際に用いる、パケット再送までの待機時間および使用チャネル等の通信パラメータを変更する。また、通信制御部２２は、２．４ＧＨｚ帯におけるアクセスポイント１５１の使用チャネルを変更する構成に限らず、さらに大幅な周波数帯の変更、たとえば２．４ＧＨｚ帯および５ＧＨｚ帯間の切り替えを行なう構成であってもよい。これにより、センサ１６１および無線端末装置１６２間の電波干渉をさらに抑制することが可能となる。
【０１１１】
また、通信システム３０１は、複数のアクセスポイント１５１を備える構成であるとしたが、これに限定するものではない。通信システム３０１は、１つのアクセスポイント１５１を備える構成であってもよい。この場合、通信制御部２２が、無線端末装置１６２の通信動作を変更する処理として、無線端末装置１６２の通信パラメータを変更する処理を行なうことにより、ネットワークの輻輳に起因する建物評価の障害の発生を抑制する、という本発明の目的を達成することができる。
【０１１２】
また、この場合、無線端末装置１６２は、複数のアクセスポイント１５１のうちのいずれかを選択して通信する機能を有さなくてもよい。
【０１１３】
図６は、本発明の実施の形態に係る通信システムにおける端末装置およびアクセスポイント間の通信接続処理のシーケンスを示す図である。
【０１１４】
図６を参照して、無線端末装置１６２およびアクセスポイント１５１は、たとえばＩＥＥＥ８０２．１１で規定されたシーケンスに従い、通信接続処理を行なう。
【０１１５】
より詳細には、まず、無線端末装置１６２は、認証情報１をアクセスポイント１５１へ送信する（ステップＳ３１）。
【０１１６】
次に、アクセスポイント１５１は、無線端末装置１６２から認証情報１を受信して無線端末装置１６２へＡｃｋを送信し（ステップＳ３２）、無線端末装置１６２から受信した認証情報１に対する認証情報２を無線端末装置１６２へ送信する（ステップＳ３３）。
【０１１７】
次に、無線端末装置１６２は、アクセスポイント１５１から認証情報２を受信してアクセスポイント１５１へＡｃｋを送信し（ステップＳ３４）、アソシエーション要求をアクセスポイント１５１へ送信する（ステップＳ３５）。
【０１１８】
次に、アクセスポイント１５１は、無線端末装置１６２からアソシエーション要求を受信して無線端末装置１６２へＡｃｋを送信し（ステップＳ３６）、無線端末装置１６２から受信したアソシエーション要求に対するアソシエーション応答を無線端末装置１６２へ送信する（ステップＳ３７）。
【０１１９】
次に、無線端末装置１６２は、アクセスポイント１５１からアソシエーション応答を受信してアクセスポイント１５１へＡｃｋを送信する（ステップＳ３８）。
【０１２０】
以上のような情報のやり取りにより、無線端末装置１６２およびアクセスポイント１５１間の通信接続が確立し、両者間でデータフレーム等が送受信される（ステップＳ３９）。
【０１２１】
ところで、建物、道路および橋梁等の構造物の老朽化による倒壊を防止するため、損傷状況等の危険性を把握しておくことが重要である。たとえば、建物に加速度センサを設置して構造物モニタリングを行なうことにより、当該建物の健全性を判断することが可能である。
【０１２２】
そこで、Ｍ２Ｍシステムの１つの利用形態として、計測結果を無線伝送することが可能なセンサを建物に設置し、当該センサによる計測結果に基づいて建物の健全性を評価するシステムが考えられる。
【０１２３】
地震等の災害が発生した場合、このようなＭ２Ｍシステムが設けられた建物が避難所として用いられ、多数の人が建物に集まる場合がある。
【０１２４】
このような場合、多数の人が携帯電話等を用いて避難所のネットワークに接続し、インターネットから各種情報を取得することになり、ネットワークにおいて輻輳が発生する可能性が高まる。そして、このような輻輳が発生すると、避難所に設置されたセンサの計測結果を示すデータが欠損してしまい、余震および老朽化等による避難所の倒壊等を正確かつ迅速に予知することが困難となる場合がある。
【０１２５】
地震の振動による損傷で刻一刻と構造物の倒壊の可能性は変化する。特に、多数の人々が集中して居住する避難所が倒壊すると大きな被害が出るため、このような予知は、できるだけ正確かつ迅速に行なう必要がある。
【０１２６】
これに対して、本発明の実施の形態に係る管理装置では、通信情報取得部２１は、通信システム３０１における通信環境に関する通信環境情報を取得する。そして、通信制御部２２は、センサ１６１の通信相手および無線端末装置１６２の通信相手が同じアクセスポイント１５１である状態において、通信情報取得部２１によって取得された通信環境情報に基づいて、当該無線端末装置１６２の通信動作を変更する処理を行なう。
【０１２７】
このように、センサ１６１の通信相手および無線端末装置１６２の通信相手が同じアクセスポイント１５１である状態において、通信システム３０１における通信環境情報に基づいて無線端末装置１６２の通信動作を変更する構成により、たとえば通信システム３０１における通信環境が悪化した場合に、センサ１６１の計測結果を無線端末装置１６２の通信データよりも優先して保護することができる。これにより、センサ１６１およびアクセスポイント１５１間の通信品質を良好に保つことができるため、センサ１６１の計測結果を安定して収集することができる。
【０１２８】
したがって、本発明の実施の形態に係る管理装置では、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【０１２９】
また、本発明の実施の形態に係る管理装置では、通信制御部２２は、無線端末装置１６２の通信動作を変更する処理として、無線端末装置１６２の通信相手となるアクセスポイント１５１を変更する処理を行なう。
【０１３０】
このように、無線端末装置１６２の通信接続先のアクセスポイント１５１を変更する構成により、無線端末装置１６２の通信に起因するセンサ１６１およびアクセスポイント１５１間の通信品質の劣化をより確実に防ぐことができる。たとえば、通信負荷が集中しているアクセスポイント１５１の配下の無線端末装置１６２の通信接続先を他のアクセスポイント１５１へ変更することができるため、各アクセスポイント１５１における通信トラフィックを平準化することができ、たとえば、アクセスポイント１５１のメモリ溢れによる情報損失を回避することができる。
【０１３１】
また、本発明の実施の形態に係る管理装置では、通信制御部２２は、無線端末装置１６２の通信動作を変更する処理として、無線端末装置１６２の通信パラメータを変更する処理を行なう。
【０１３２】
このような構成により、無線端末装置１６２の各種通信パラメータを変更し、たとえば無線端末装置１６２の干渉に起因するセンサ１６１およびアクセスポイント１５１間の通信品質の劣化を防ぐことができる。たとえば、無線端末装置１６２およびアクセスポイント１５１間で無線通信に使用する周波数帯を変更することにより、センサ１６１の使用周波数帯との重複を防ぎ、センサ１６１および無線端末装置１６２間の電波干渉による情報損失を回避することができる。また、たとえば、ＣＳＭＡ／ＣＡ等、信号の再送までの待ち時間が設定可能な通信方式を採用する通信システムにおいて、無線端末装置１６２の待ち時間を長くし、センサ１６１の無線伝送を優先させることができる。
【０１３３】
また、本発明の実施の形態に係る管理装置では、通信情報取得部２１は、無線端末装置１６２における通信環境に関する通信環境情報を取得する。
【０１３４】
このような構成により、干渉の大きい無線端末装置１６２を容易に特定し、当該無線端末装置１６２の通信動作を変更することができる。また、アクセスポイント１５１に特別な機能を付加することなく、たとえば無線端末装置１６２に所定のソフトウェアをインストールするだけで、通信システム３０１における通信環境の把握および当該通信環境の改善のための処理が可能となる。
【０１３５】
また、本発明の実施の形態に係る管理装置では、センサ情報取得部１１は、センサ１６１の計測結果を取得する。そして、建物評価部１２は、センサ情報取得部１１によって取得された計測結果に基づいて、建物６０１の状態を評価する。
【０１３６】
このような構成により、建物６０１の状態評価機能およびネットワークの輻輳による建物評価の障害発生を抑制するための通信制御機能の両方を実現する管理装置を提供することができる。
【０１３７】
また、本発明の実施の形態に係る通信システムでは、アクセスポイント１５１は、通信システム３０１における通信環境に関する通信環境情報を管理装置２０１へ送信する。そして、管理装置２０１は、センサ１６１の通信相手および無線端末装置１６２の通信相手が同じアクセスポイント１５１である状態において、アクセスポイント１５１から受信した通信環境情報に基づいて、当該無線端末装置１６２の通信動作を変更するための指示情報をアクセスポイント１５１へ送信する。
【０１３８】
このように、センサ１６１の通信相手および無線端末装置１６２の通信相手が同じアクセスポイント１５１である状態において、通信システム３０１における通信環境情報に基づいて無線端末装置１６２の通信動作を変更する構成により、たとえば通信システム３０１における通信環境が悪化した場合に、センサ１６１の計測結果を無線端末装置１６２の通信データよりも優先して保護することができる。これにより、センサ１６１およびアクセスポイント１５１間の通信品質を良好に保つことができるため、センサ１６１の計測結果を安定して収集することができる。
【０１３９】
したがって、本発明の実施の形態に係る通信システムでは、建物に設置されたセンサの計測結果を当該建物におけるネットワーク経由で伝送し、当該計測結果に基づいて建物の状態を評価可能な通信システムにおいて、ネットワークの輻輳に起因する建物評価の障害の発生を抑制することができる。
【０１４０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１４１】
以上の説明は、以下に付記する特徴を含む。
【０１４２】
［付記１］
建物に設置されたセンサであって無線基地局装置と通信可能なセンサの計測結果に基づいて前記建物の状態を評価可能な通信システム、における管理装置であって、
前記通信システムにおける通信環境に関する通信環境情報を取得する通信情報取得部と、
前記センサの通信相手、および無線基地局装置と通信可能な無線端末装置の通信相手が同じ無線基地局装置である状態において、前記通信情報取得部によって取得された前記通信環境情報に基づいて、前記無線端末装置の通信動作を変更する処理を行なう通信制御部とを備え、
前記建物は避難所であり、
前記無線基地局装置は、ＩＥＥＥ８０２．１１で規格化された無線ＬＡＮシステムのアクセスポイントである、管理装置。
【０１４３】
［付記２］
１または複数の無線基地局装置と、
前記無線基地局装置と通信可能な管理装置とを備える通信システムであって、
前記通信システムは、建物に設置されたセンサであって前記無線基地局装置と通信可能なセンサの計測結果に基づいて、前記建物の状態を評価可能であり、
前記無線基地局装置は、前記通信システムにおける通信環境に関する通信環境情報を前記管理装置へ送信し、
前記管理装置は、前記センサの通信相手、および前記無線基地局装置と通信可能な無線端末装置の通信相手が同じ無線基地局装置である状態において、前記無線基地局装置から受信した前記通信環境情報に基づいて、前記無線端末装置の通信動作を変更するための指示情報を前記無線基地局装置へ送信し、
前記建物は避難所であり、
前記無線基地局装置は、ＩＥＥＥ８０２．１１で規格化された無線ＬＡＮシステムのアクセスポイントである、通信システム。
【符号の説明】
【０１４４】
１１  センサ情報取得部
１２  建物評価部
２１  通信情報取得部
２２  通信制御部
１０１  ネットワーク管理サーバ
１０２  建物管理サーバ
１０３  ローカル情報管理サーバ
１０４  ゲートウェイ
１０５  記憶装置
１５１  アクセスポイント（無線基地局装置）
２０１  管理装置
３０１  通信システム
４０１  内部ネットワーク
５０１  記憶装置
６０１  建物
【図１】
2015104008.tif 000003
【図２】
2015104008.tif 000004
【図３】
2015104008.tif 000005
【図４】
2015104008.tif 000006
【図５】
2015104008.tif 000007
【図６】
2015104008.tif 000008